(57)【要約】【課題】  漏洩電波が何らかの悪影響を及ぼし得る環境の下であっても、ハンディターミナルを使用可能とする。【解決手段】  非接触ＩＣカードホルダ１１は、底面部１３の内面１３ａに電波吸収体１７が設けられて構成されている。非接触ＩＣカードホルダ１１がハンディターミナル１に装着されると共に、非接触ＩＣカード１０がカード保持機構２３により正常に保持されている状態で、ハンディターミナル１のアンテナコイル７から電波が送信され、その電波が非接触ＩＣカード１０を通過して進行したとしても、その電波は電波吸収体１７に吸収されて外部に漏洩することはない。【選択図】  図１
2005175134.tif 000002
【特許請求の範囲】
【請求項１】
ハンディターミナルに対して着脱可能に構成された本体と、
前記本体に設けられ、前記本体がハンディターミナルに装着されている状態でハンディターミナルのアンテナコイルから送信された電波が非接触ＩＣカードのアンテナコイルに受信されるように非接触ＩＣカードを所定位置に保持するカード保持機構と、
前記本体にあって前記カード保持機構により所定位置に保持されている非接触ＩＣカードのカードアンテナ面とは反対側の面に対向する部位に設けられ、ハンディターミナルのアンテナコイルから送信された電波を吸収する第１の電波吸収体とを備えたことを特徴とするハンディターミナル用非接触ＩＣカードホルダ。
【請求項２】
請求項１に記載したハンディターミナル用非接触ＩＣカードホルダにおいて、
前記本体にあって前記カード保持機構により所定位置に保持されている非接触ＩＣカードの側面に対向する部位に設けられ、ハンディターミナルのアンテナコイルから送信された電波を吸収する第２の電波吸収体を備えたことを特徴とするハンディターミナル用非接触ＩＣカードホルダ。
【発明の詳細な説明】
【技術分野】
【０００１】
本発明は、ハンディターミナルに対して着脱可能に構成されたハンディターミナル用非接触ＩＣカードホルダに関する。
【背景技術】
【０００２】
従来より、ハンディターミナルのアンテナコイルから送信された電波が非接触ＩＣカードのアンテナコイルに受信されることにより、ハンディターミナルが非接触ＩＣカードに記録されているデータを読取るものがある（例えば特許文献１参照）。
【特許文献１】特開２０００−３４８１３３号公報
【発明の開示】
【発明が解決しようとする課題】
【０００３】
しかしながら、この種のハンディターミナルでは、アンテナコイルから電波が送信される構成であるが故に、例えば漏洩電波が医療機器などに悪影響を及ぼし得る病院などでは、使用することができないという問題がある。
【０００４】
本発明は、上記した事情に鑑みてなされたものであり、その目的は、ハンディターミナルから送信された電波が外部に漏洩するのを抑えることにより、漏洩電波が何らかの悪影響を及ぼし得る環境の下であっても、ハンディターミナルを使用可能とするハンディターミナル用非接触ＩＣカードホルダを提供することにある。
【課題を解決するための手段】
【０００５】
請求項１に記載したハンディターミナル用非接触ＩＣカードホルダによれば、ハンディターミナルに本体が装着されている状態では、ハンディターミナルのアンテナコイルから送信された電波が非接触ＩＣカードのアンテナコイルに受信されるように非接触ＩＣカードがカード保持機構により所定位置に保持される。そして、本体にあって所定位置に保持されている非接触ＩＣカードのカードアンテナ面とは反対側の面に対向する部位に第１の電波吸収体が設けられているので、非接触ＩＣカードがカード保持機構により所定位置に保持されている状態で、ハンディターミナルのアンテナコイルから電波が送信され、その電波が非接触ＩＣカードを通過して進行したとしても、その電波は第１の電波吸収体に吸収される。
【０００６】
これにより、ハンディターミナルから送信された電波が外部に漏洩するのを抑えることができ、漏洩電波が何らかの悪影響を及ぼし得る環境の下であっても、ハンディターミナルを使用することができる。また、この場合、非接触ＩＣカードがカード保持機構により所定位置に保持されるので、ユーザが非接触ＩＣカードを手で支えることなく例えばハンディターミナルのボタン操作などを行うことができ、使い勝手を高めることもできる。
【０００７】
請求項２に記載したハンディターミナル用非接触ＩＣカードホルダによれば、本体にあって所定位置に保持されている非接触ＩＣカードの側面に対向する部位に第２の電波吸収体が設けられているので、非接触ＩＣカードがカード保持機構により所定位置に保持されている状態で、ハンディターミナルのアンテナコイルから電波が送信され、その電波がＩＣカードのカードアンテナ面に沿って進行したとしても、その電波は第２の電波吸収体に吸収される。これにより、ハンディターミナルから送信された電波が外部に漏洩するのをより適切に抑えることができる。
【発明を実施するための最良の形態】
【０００８】
以下、本発明の一実施形態について、図面を参照して説明する。図２は、ハンディターミナル、ハンディターミナル用非接触ＩＣカードホルダ（以下、単に非接触ＩＣカードホルダと称する）および非接触ＩＣカードの外観斜視図を示している。
ハンディターミナル１の本体２は、頭部３と手持部４とが一体に連なって構成されている。頭部３は、その表面３ａに液晶表示器５が配設されていると共に、その裏面３ｂに横長の読取口６が形成されて構成されており、その読取口６の内部には、ボビン（図示せず）に巻装された状態でアンテナコイル７が配設されている。一方、手持部４は、その表面４ａにキー群８が配設されていると共に、その側面４ｂにダブルアクションキー９が配設されて構成されている。キー群８は、例えば複数のファンクションキー、「０」〜「９」の数字キー、任意に選択された機能を実行するマジックキーなどから構成されている。
【０００９】
非接触ＩＣカードホルダ１１の本体１２は、底面部１３、側面部１４，１５および背面部１６が一体になって構成されている。この場合、側面部１４の内面１４ａと側面部１５の内面１５ａとの間隔（図３中「Ｌ１」にて示す）は、ハンディターミナル１の読取口６の外形寸法と略同一に形成されていると共に、非接触ＩＣカードホルダ１０の縦方向の外形寸法（図３中「Ｌ２」にて示す）よりも僅かに長く（広く）形成されている。
【００１０】
上記した構成では、図３にも示すように、底面部１３の内面１３ａに板状の電波吸収体１７（本発明でいう第１の電波吸収体）が例えば貼付けられて設けられていると共に、側面部１４の内面１４ａ、側面部１５の側面１５ａおよび背面部１６の内面１６ａに板状の電波吸収体１８〜２０（本発明でいう第２の電波吸収体）が例えば貼付けられて設けられている。この場合、これら電波吸収体１７〜２０は、例えば合成ゴムとフェライトとが混合されてなる複合材から構成されている。さらに、背面部１６には、横長の爪部２１が形成されている。
【００１１】
このような構成では、図１に示すように、非接触ＩＣカードホルダ１１をハンディターミナル１の裏面側から、非接触ＩＣカードホルダ１１の爪部２１をハンディターミナル１の本体２に形成されている嵌合部２２に嵌合させると同時に、非接触ＩＣカードホルダ１１の側面部１４の内面１４ａと側面部１５の側面１５ａとでハンディターミナル１の本体２の一部（読取口６の部分）を挟込むことにより、非接触ＩＣカードホルダ１１をハンディターミナル１に装着することができる。
【００１２】
この場合、非接触ＩＣカードホルダ１１がハンディターミナル１に装着された状態では、非接触ＩＣカード１０が非接触ＩＣカードホルダ１１の底面部１３の内面１３ａ、側面部１４の内面１４ａ、側面部１５の側面１５ａおよび背面部１６の内面１６ａで囲まれた空間に挿入されると、非接触ＩＣカード１０が読取口６（ハンディターミナル１のアンテナコイル７）に対向するようにして所定位置に保持される。つまり、本発明でいうカード保持機構２３は、非接触ＩＣカードホルダ１１の底面部１３の内面１３ａ、側面部１４の内面１４ａ、側面部１５の側面１５ａおよび背面部１６の内面１６ａにより構成されている。
【００１３】
そして、非接触ＩＣカードホルダ１１がハンディターミナル１に装着され、非接触ＩＣカード１０が非接触ＩＣカードホルダ１１のカード保持機構２３により正常に（非接触ＩＣカード１０のカードアンテナ面１０ａが読取口６に対向するように）保持されている状態では、非接触ＩＣカード１０は、ハンディターミナル１のアンテナコイル７から送信された電波がアンテナコイル２４により受信されると、その電波を整流して起電力を生成し、メモリに記録されているデータで搬送波が変調された電波をアンテナコイル２４から送信するようになっている。
【００１４】
以上に説明したように本実施形態によれば、非接触ＩＣカードホルダ１１の底面部１３の内面１３ａに電波吸収体１７を設けて構成したので、非接触ＩＣカードホルダ１１がハンディターミナル１に装着されると共に、非接触ＩＣカード１０がカード保持機構２３により正常に保持されている状態で、ハンディターミナル１のアンテナコイル７から電波が送信され、その電波が非接触ＩＣカード１０を通過して進行したとしても、その電波は電波吸収体１７に吸収されるようになり、これにより、ハンディターミナル１から送信された電波が外部に漏洩するのを抑えることができ、漏洩電波が何らかの悪影響を及ぼし得る環境の下であっても、ハンディターミナル１を使用することができる。
【００１５】
また、この場合、非接触ＩＣカードホルダ１１の側面部１４の内面１４ａ、側面部１５の側面１５ａおよび背面部１６の内面１６ａに電波吸収体１８〜２０を設けて構成したので、ハンディターミナル１のアンテナコイル７から電波が送信され、その電波が非接触ＩＣカード１０のカードアンテナ面１０ａに沿って進行したとしても、その電波は電波吸収体１８〜２０に吸収されるようになり、これにより、ハンディターミナル１から送信された電波が外部に漏洩するのをより適切に抑えることができる。
【００１６】
さらに、この場合、非接触ＩＣカード１０がカード保持機構２３により所定位置に保持されるので、ユーザが非接触ＩＣカード１０を手で支えることなく例えばハンディターミナル１のボタン操作などを行うことができ、使い勝手を高めることもできる。
本発明は、上記した実施形態にのみ限定されるものではなく、以下のように変形または拡張することができる。
【００１７】
非接触ＩＣカードホルダがハンディターミナルに対して着脱されるための機構としては、例えばネジ止め機構などの他の機構を適用する構成であっても良い。電波吸収体は、電波が集中する箇所に設ければ良く、また、複数枚の電波吸収体が別々の面に設けられる構成に限らず、１枚の電波吸収体が折曲げられて複数の面に跨って設けられる構成であっても良い。
【図面の簡単な説明】
【００１８】
【図１】本発明の一実施形態を示すものであって、非接触ＩＣカードホルダがハンディターミナルに装着されていると共に、非接触ＩＣカードが非接触ＩＣカードホルダに保持されている態様を示す側面図
【図２】ハンディターミナル、非接触ＩＣカードホルダおよび非接触ＩＣカードの外観斜視図
【図３】非接触ＩＣカードホルダがハンディターミナルに装着されていると共に、非接触ＩＣカードが非接触ＩＣカードホルダに保持されている態様を示す正面図
【符号の説明】
【００１９】
図面中、１はハンディターミナル、７はハンディターミナルのアンテナコイル、１０は非接触ＩＣカード、１０ａはカードアンテナ面、１１は非接触ＩＣカードホルダ、１２は本体、１７は電波吸収体（第１の電波吸収体）、１８〜２０は電波吸収体（第２の電波吸収体）、２３はカード保持機構、２４は非接触ＩＣカードのアンテナコイルである。
【図１】
2005175134.tif 000003
【図２】
2005175134.tif 000004
【図３】
2005175134.tif 000005